(57)【要約】【課題】１アクション方式が割り当てられた対象機器に対して、オペレータが任務を遂行しながら、その対象機器の命令実行を認識し、判断ミスや誤操作に早急に気付くこと。【解決手段】オペレーション音声告知装置４において、１アクション操作部１０は、１アクション方式操作フレーム１５が表示装置２に表示されているときに１アクション方式が割り当てられた対象機器１２に対して命令の実行が指示される場合、オペレータの１回の操作により、１アクション方式が割り当てられた対象機器１２に対する命令実行指示３７を操作指令出力部１１に出力する。音声告知出力部８は、１アクション方式が割り当てられた対象機器１２への命令実行に関する１アクション命令実行関連音声をスピーカ９により出力する。【選択図】図１
2013140478.tif 000002
【特許請求の範囲】
【請求項１】
スピーカと、表示装置を備えた複数の操作用コンピュータと、オペレーション音声告知装置と、を具備するオペレーション音声告知システムであって、
前記オペレーション音声告知装置は、
複数の機器の中から、少なくとも１つの操作対象の機器である対象機器をオペレータに選択させるための機器選択操作フレームを前記複数の操作用コンピュータの前記表示装置に表示する操作フレーム表示部と、
オペレータにより選択された前記対象機器に対して２アクション方式が割り当てられている場合、オペレータの２回の操作により前記対象機器に命令を実行させる２アクション方式操作フレームを前記複数の操作用コンピュータの前記表示装置に表示し、オペレータにより選択された前記対象機器に対して１アクション方式が割り当てられている場合、オペレータの１回の操作により前記対象機器に命令を実行させる１アクション方式操作フレームを前記複数の操作用コンピュータの前記表示装置に表示する操作フレーム処理部と、
前記１アクション方式操作フレームが前記複数の操作用コンピュータの前記表示装置に表示されているときに前記１アクション方式が割り当てられた前記対象機器に対して命令の実行が指示される場合、オペレータの１回の操作により、前記１アクション方式が割り当てられた前記対象機器に対する命令実行指示を出力する１アクション操作部と、
前記命令実行指示に応じて前記対象機器に対して命令を実行させる操作指令出力部と、
前記１アクション方式が割り当てられた前記対象機器への命令実行に関する１アクション命令実行関連音声を前記スピーカにより出力する音声告知出力部と、
を具備することを特徴とするオペレーション音声告知システム。
【請求項２】
前記１アクション方式操作フレームは、１アクション命令スイッチを含み、
前記１アクション操作部は、前記複数の操作用コンピュータのうちの１つの操作用コンピュータにより前記１アクション命令スイッチが操作された場合、前記１アクション方式が割り当てられた前記対象機器に対する前記命令実行指示を前記操作指令出力部に出力するとともに、前記１アクション命令実行関連音声として、前記１アクション方式が割り当てられた前記対象機器に対して命令が実行されることを通知するための１アクション命令実行開始音声を表す信号を前記音声告知出力部に出力し、
前記音声告知出力部は、前記１アクション命令実行開始音声を前記スピーカにより出力する、
ことを特徴とする請求項１に記載のオペレーション音声告知システム。
【請求項３】
予め設定された設定時間が経過したときだけ、前記１アクション操作部から出力された前記１アクション命令実行開始音声を表す信号を前記音声告知出力部に出力するタイマカウント処理部、をさらに具備し、
前記１アクション方式が割り当てられた前記対象機器が、前記命令実行指示を複数回与えることにより動作を完了する機器である場合、
前記１アクション操作部は、
前記複数の操作用コンピュータのうちの１つの操作用コンピュータにより前記１アクション命令スイッチが操作される度に、前記１アクション方式が割り当てられた前記対象機器に対する前記命令実行指示を前記操作指令出力部に出力するとともに、前記１アクション命令実行開始音声を表す信号を前記タイマカウント処理部に出力し、
前記タイマカウント処理部は、
前記１アクション命令実行開始音声を表す信号を最初に受け取った場合、前記１アクション命令実行開始音声を表す信号を前記音声告知出力部に出力するとともに、カウントを開始し、
前記１アクション命令実行開始音声を表す信号を再度受け取ったときに前記カウントの時間が前記設定時間を経過していない場合、前記カウントの時間をリセットして前記カウントを開始し、
前記１アクション命令実行開始音声を表す信号を再度受け取ったときに前記カウントの時間が前記設定時間を経過している場合、前記１アクション命令実行開始音声を表す信号を前記音声告知出力部に出力するとともに、前記カウントの時間をリセットして前記カウントを開始する、
ことを特徴とする請求項２に記載のオペレーション音声告知システム。
【請求項４】
前記１アクション方式操作フレームは、１アクション命令スイッチ、および、閉じるスイッチを含み、
前記操作フレーム処理部は、前記１アクション命令実行関連音声として、前記１アクション方式が割り当てられた前記対象機器を動作させるために前記１アクション方式操作フレームが前記複数の操作用コンピュータの前記表示装置に表示されたことを通知するための１アクション方式操作フレーム表示確認音声を表す信号を前記音声告知出力部に出力し、
前記音声告知出力部は、前記１アクション方式操作フレーム表示確認音声を前記スピーカにより出力し、
前記１アクション方式操作フレーム表示確認音声が前記スピーカから出力されたときに、前記複数の操作用コンピュータのうちの１つの操作用コンピュータにより前記１アクション命令スイッチが操作された場合、前記１アクション操作部は、前記１アクション方式が割り当てられた前記対象機器に対する前記命令実行指示を前記操作指令出力部に出力し、
前記１アクション方式操作フレーム表示確認音声が前記スピーカから出力されたときに、前記複数の操作用コンピュータのうちの１つの操作用コンピュータにより前記閉じるスイッチが操作された場合、前記操作フレーム処理部は、前記複数の操作用コンピュータの前記表示装置に表示されている前記１アクション方式操作フレームを閉じる、
ことを特徴とする請求項１に記載のオペレーション音声告知システム。
【請求項５】
前記１アクション方式操作フレームが前記複数の操作用コンピュータの前記表示装置に表示されているときに、前記１アクション方式が割り当てられた前記対象機器を監視する１アクション方式動作完了入力部、をさらに具備し、
前記１アクション方式が割り当てられた前記対象機器には、その対象機器のパラメータを監視するためのセンサが設けられ、
前記センサは、前記１アクション方式が割り当てられた前記対象機器が動作を完了したときにその旨を表す動作完了情報を出力し、
前記１アクション方式動作完了入力部は、前記１アクション方式操作フレームが前記複数の操作用コンピュータの前記表示装置に表示されているときに前記動作完了情報を受け取った場合、１アクション方式操作フレーム終了指示を前記操作フレーム処理部に出力するとともに、前記１アクション命令実行関連音声として、前記１アクション方式が割り当てられた前記対象機器に対して命令が実行されたことを通知するための１アクション命令実行完了音声を表す信号を前記音声告知出力部に出力し、
前記操作フレーム処理部は、前記１アクション方式操作フレーム終了指示に応じて、前記１アクション方式が割り当てられた前記対象機器が動作を完了した旨を前記複数の操作用コンピュータの前記表示装置に表示するとともに、前記複数の操作用コンピュータの前記表示装置に表示されている前記１アクション方式操作フレームを閉じ、
前記音声告知出力部は、前記１アクション命令実行完了音声を前記スピーカにより出力する、
ことを特徴とする請求項１に記載のオペレーション音声告知システム。
【請求項６】
前記２アクション方式操作フレームが前記複数の操作用コンピュータの前記表示装置に表示されているときに前記２アクション方式が割り当てられた前記対象機器に対して命令の実行が指示される場合、オペレータの１回目の操作により、命令実行の可否について全てのオペレータに確認を求める確認通知を行い、前記確認通知の後のオペレータの２回目の操作により、前記２アクション方式が割り当てられた前記対象機器に対する前記命令実行指示を前記操作指令出力部に出力する２アクション操作部、をさらに具備し、
前記音声告知出力部は、前記２アクション方式操作フレームが前記複数の操作用コンピュータの前記表示装置に表示されているときに、前記確認通知を表す音声を前記スピーカにより出力する、
ことを特徴とする請求項１ないし請求項５のいずれか１項に記載のオペレーション音声告知システム。
【請求項７】
前記２アクション方式操作フレームは、２アクション命令スイッチ、実行スイッチ、および、取消スイッチを含み、
前記２アクション操作部は、前記１アクション目として前記複数の操作用コンピュータのうちの１つの操作用コンピュータにより前記２アクション命令スイッチが操作されたときに、前記確認通知を表す音声として、前記２アクション方式が割り当てられた前記対象機器に対する命令に誤りがある場合に取り消しを求めるための２アクション命令確認音声を表す信号を前記音声告知出力部に出力し、
前記音声告知出力部は、前記２アクション命令確認音声を前記スピーカにより出力し、
前記２アクション命令確認音声が前記スピーカから出力されたときに、前記２アクション目として前記複数の操作用コンピュータのうちの１つの操作用コンピュータにより前記実行スイッチが操作された場合、前記２アクション操作部は、前記２アクション方式が割り当てられた前記対象機器に対する前記命令実行指示を前記操作指令出力部に出力し、
前記２アクション命令確認音声が前記スピーカから出力されたときに、前記２アクション目として前記複数の操作用コンピュータのうちの１つの操作用コンピュータにより前記取消スイッチが操作された場合、前記操作フレーム処理部は、前記複数の操作用コンピュータの前記表示装置に表示されている前記２アクション方式操作フレームを閉じる、
ことを特徴とする請求項６に記載のオペレーション音声告知システム。
【請求項８】
前記複数の機器の各々に対して前記２アクション方式または前記１アクション方式が割り当てられたデータベース、をさらに具備し、
前記操作フレーム処理部は、オペレータにより前記対象機器が選択されたときに、前記対象機器に割り当てられた方式を前記データベースから読み出し、前記対象機器に割り当てられた方式が前記２アクション方式である場合に前記２アクション方式操作フレームを前記複数の操作用コンピュータの前記表示装置に表示し、前記対象機器に割り当てられた方式が前記１アクション方式である場合に前記１アクション方式操作フレームを前記複数の操作用コンピュータの前記表示装置に表示する、
ことを特徴とする請求項１ないし請求項７のいずれか１項に記載のオペレーション音声告知システム。
【請求項９】
前記複数の機器はプラントで使用される機器である、
ことを特徴とする請求項１ないし請求項８のいずれか１項に記載のオペレーション音声告知システム。
【請求項１０】
複数の機器の中から、少なくとも１つの操作対象の機器である対象機器をオペレータに選択させるための機器選択操作フレームを複数の操作用コンピュータの表示装置に表示する操作フレーム表示部と、
オペレータにより選択された前記対象機器に対して２アクション方式が割り当てられている場合、オペレータの２回の操作により前記対象機器に命令を実行させる２アクション方式操作フレームを前記複数の操作用コンピュータの前記表示装置に表示し、オペレータにより選択された前記対象機器に対して１アクション方式が割り当てられている場合、オペレータの１回の操作により前記対象機器に命令を実行させる１アクション方式操作フレームを前記複数の操作用コンピュータの前記表示装置に表示する操作フレーム処理部と、
前記１アクション方式操作フレームが前記複数の操作用コンピュータの前記表示装置に表示されているときに前記１アクション方式が割り当てられた前記対象機器に対して命令の実行が指示される場合、オペレータの１回の操作により、前記１アクション方式が割り当てられた前記対象機器に対する命令実行指示を出力する１アクション操作部と、
前記命令実行指示に応じて前記対象機器に対して命令を実行させる操作指令出力部と、
前記１アクション方式が割り当てられた前記対象機器への命令実行に関する１アクション命令実行関連音声をスピーカにより出力する音声告知出力部と、
を具備することを特徴とするオペレーション音声告知装置。
【請求項１１】
複数の機器の中から、少なくとも１つの操作対象の機器である対象機器をオペレータに選択させるための機器選択操作フレームを複数の操作用コンピュータの表示装置に表示するステップと、
オペレータにより選択された前記対象機器に対して２アクション方式が割り当てられている場合、オペレータの２回の操作により前記対象機器に命令を実行させる２アクション方式操作フレームを前記複数の操作用コンピュータの前記表示装置に表示するステップと、
オペレータにより選択された前記対象機器に対して１アクション方式が割り当てられている場合、オペレータの１回の操作により前記対象機器に命令を実行させる１アクション方式操作フレームを前記複数の操作用コンピュータの前記表示装置に表示するステップと、
前記１アクション方式操作フレームが前記複数の操作用コンピュータの前記表示装置に表示されているときに前記１アクション方式が割り当てられた前記対象機器に対して命令の実行が指示される場合、オペレータの１回の操作により、前記１アクション方式が割り当てられた前記対象機器に対する命令実行指示を出力するステップと、
前記命令実行指示に応じて前記対象機器に対して命令を実行させるステップと、
前記１アクション方式が割り当てられた前記対象機器への命令実行に関する１アクション命令実行関連音声をスピーカにより出力するステップと、
を具備することを特徴とするオペレーション音声告知方法。
【請求項１２】
コンピュータが実行可能なコンピュータプログラムであって、
複数の機器の中から、少なくとも１つの操作対象の機器である対象機器をオペレータに選択させるための機器選択操作フレームを複数の操作用コンピュータの表示装置に表示するステップと、
オペレータにより選択された前記対象機器に対して２アクション方式が割り当てられている場合、オペレータの２回の操作により前記対象機器に命令を実行させる２アクション方式操作フレームを前記複数の操作用コンピュータの前記表示装置に表示するステップと、
オペレータにより選択された前記対象機器に対して１アクション方式が割り当てられている場合、オペレータの１回の操作により前記対象機器に命令を実行させる１アクション方式操作フレームを前記複数の操作用コンピュータの前記表示装置に表示するステップと、
前記１アクション方式操作フレームが前記複数の操作用コンピュータの前記表示装置に表示されているときに前記１アクション方式が割り当てられた前記対象機器に対して命令の実行が指示される場合、オペレータの１回の操作により、前記１アクション方式が割り当てられた前記対象機器に対する命令実行指示を出力するステップと、
前記命令実行指示に応じて前記対象機器に対して命令を実行させるステップと、
前記１アクション方式が割り当てられた前記対象機器への命令実行に関する１アクション命令実行関連音声をスピーカにより出力するステップと、
の各ステップを前記コンピュータに実行させることを特徴とするオペレーション音声告知プログラム。
【発明の詳細な説明】
【技術分野】
【０００１】
本発明の実施形態は、オペレーション音声告知システム、オペレーション音声告知装置、オペレーション音声告知方法、および、オペレーション音声告知プログラムに関する。
【背景技術】
【０００２】
発電所などのプラント設備では、オペレータがプラントの機器を操作する際に、その機器が操作されることを全てのオペレータに音声により告知するオペレーション音声告知システムが採用されている。
【０００３】
そのオペレーション音声告知システムは、操作用コンピュータと、オペレーション音声告知装置と、スピーカと、複数の機器とを具備している。操作用コンピュータは入力装置と表示装置とを備えている。複数の機器はプラントで使用される機器である。
【０００４】
たとえば、複数の機器のうちの、１オペレータの判断ミスや誤操作により事故が発生する可能性がある機器に対しては２アクション方式が割り当てられ、それ以外の機器に対しては１アクション方式が割り当てられる。
【０００５】
１アクション方式が割り当てられた機器としては、単なる切り替え動作を行う機器が挙げられる。たとえば、ある機器が閉状態と開状態との一方の状態から他方の状態に切り替わる機器（電動弁などの機器）であり、１オペレータが誤操作しても事故につながらない機器である場合、その機器には１アクション方式が割り当てられる。あるいは、ある機器が第１運転モードと第２運転モードとの一方の運転モードから他方の運転モードに切り替わる機器であり、１オペレータが誤操作しても事故につながらない機器である場合、その機器には１アクション方式が割り当てられる。
【０００６】
オペレーション音声告知システムの動作について説明する。
【０００７】
オペレーション音声告知装置は、機器選択操作フレームを表示装置に表示する。機器選択操作フレームは、複数の機器の中から操作対象の機器である対象機器を選択させる画面である。機器選択操作フレームが表示装置に表示されているときに、オペレータが対象機器を選択する。
【０００８】
オペレータにより選択された対象機器に対して２アクション方式が割り当てられている場合、オペレーション音声告知装置は、２アクション方式操作フレームを表示装置に表示する（２アクション方式操作処理）。２アクション方式操作フレームは、オペレータが入力装置を２回操作することにより、２アクション方式が割り当てられた対象機器に命令を実行させる画面である。２アクション方式については特許文献１に記載されている。
【０００９】
一方、オペレータにより選択された対象機器に対して１アクション方式が割り当てられている場合、オペレーション音声告知装置は、１アクション方式操作フレームを表示装置に表示する（１アクション方式操作処理）。１アクション方式操作フレームは、オペレータが入力装置を１回操作することにより、１アクション方式が割り当てられた対象機器に命令を実行させる画面である。
【００１０】
（２アクション方式操作処理）
２アクション方式操作フレームが表示装置に表示されているときに、オペレータが入力装置を用いて２アクション方式が割り当てられた対象機器に対する命令の実行を指示する場合、オペレーション音声告知装置は、オペレータの１回目の操作により、命令実行の可否について全てのオペレータに確認を求める確認通知を行う。このときに、オペレーション音声告知装置は、確認通知を表す音声をスピーカにより出力する。オペレータが、２アクション方式が割り当てられた対象機器に対する命令の実行に問題がないと判断し、命令の実行を指示した場合、オペレーション音声告知装置は、確認通知の後のオペレータの２回目の操作により、２アクション方式が割り当てられた対象機器に対して命令を実行させる。一方、オペレータが、２アクション方式が割り当てられた対象機器に対する命令の実行に問題があると判断し、命令の実行の取り消しを指示した場合、オペレーション音声告知装置は、確認通知の後のオペレータの２回目の操作により、２アクション方式が割り当てられた対象機器に対して命令を実行しない。
【００１１】
このように、２アクション方式操作処理では、２アクション方式が割り当てられた対象機器に対して命令の実行を指示する場合、確認通知を表す音声がスピーカから出力され、全てのオペレータに通知（告知）される。その結果、全てのオペレータが問題ないと判断した場合、２アクション方式が割り当てられた対象機器に対する命令が実行される。その後も全てのオペレータが問題ないと判断している場合、２アクション方式が割り当てられた対象機器の動作が完了する。
【００１２】
（１アクション方式操作処理）
１アクション方式操作フレームが表示装置に表示されているときに、オペレータが入力装置を用いて１アクション方式が割り当てられた対象機器に対する命令の実行を指示する場合、オペレーション音声告知装置は、オペレータの１回の操作により、１アクション方式が割り当てられた対象機器に対して命令を実行させる。
【００１３】
このように、１アクション方式操作処理では、１アクション方式が割り当てられた対象機器に対して命令が実行される際、確認通知を表す音声を全てのオペレータに通知（告知）することは、全てのオペレータに対して任務の妨げになる場合がある。したがって、１アクション方式操作処理では、１アクション方式が割り当てられた対象機器に対して命令の実行を指示する場合、確認通知を表す音声を全てのオペレータに通知（告知）しないで、対象機器に対する命令が実行される。
【先行技術文献】
【特許文献】
【００１４】
【特許文献１】特開２００６−３３０８７９号公報
【発明の概要】
【発明が解決しようとする課題】
【００１５】
１アクション方式操作処理では、１アクション方式が割り当てられた対象機器に対して命令が実行されるときに、確認通知を表す音声が全てのオペレータに通知（告知）されない。このため、全てのオペレータのうちの１オペレータ以外のオペレータは、１アクション方式が割り当てられた対象機器に対して命令が実行され、その対象機器が動作することを、任務を遂行しながら認識することができない。
【００１６】
また、１アクション方式操作処理では、１アクション方式が割り当てられた対象機器に対して命令が実行されるときに、確認通知を表す音声が全てのオペレータに通知（告知）されないため、１アクション方式が割り当てられた対象機器が１オペレータの判断ミスや誤操作によって動作した場合、１オペレータ以外のオペレータは、１オペレータの判断ミスや誤操作に早急に気付くことができない。
【００１７】
本発明が解決しようとする課題は、１アクション方式が割り当てられた対象機器に対して、オペレータが任務を遂行しながら、その対象機器の命令実行を認識し、判断ミスや誤操作に早急に気付くことにある。
【課題を解決するための手段】
【００１８】
実施形態のオペレーション音声告知システムは、スピーカと、表示装置を備えた複数の操作用コンピュータと、オペレーション音声告知装置と、を具備するオペレーション音声告知システムであって、前記オペレーション音声告知装置は、複数の機器の中から、少なくとも１つの操作対象の機器である対象機器をオペレータに選択させるための機器選択操作フレームを前記複数の操作用コンピュータの前記表示装置に表示する操作フレーム表示部と、オペレータにより選択された前記対象機器に対して２アクション方式が割り当てられている場合、オペレータの２回の操作により前記対象機器に命令を実行させる２アクション方式操作フレームを前記複数の操作用コンピュータの前記表示装置に表示し、オペレータにより選択された前記対象機器に対して１アクション方式が割り当てられている場合、オペレータの１回の操作により前記対象機器に命令を実行させる１アクション方式操作フレームを前記複数の操作用コンピュータの前記表示装置に表示する操作フレーム処理部と、前記１アクション方式操作フレームが前記複数の操作用コンピュータの前記表示装置に表示されているときに前記１アクション方式が割り当てられた前記対象機器に対して命令の実行が指示される場合、オペレータの１回の操作により、前記１アクション方式が割り当てられた前記対象機器に対する命令実行指示を出力する１アクション操作部と、前記命令実行指示に応じて前記対象機器に対して命令を実行させる操作指令出力部と、前記１アクション方式が割り当てられた前記対象機器への命令実行に関する１アクション命令実行関連音声を前記スピーカにより出力する音声告知出力部と、を具備することを特徴とする。
【００１９】
また、実施形態のオペレーション音声告知装置は、複数の機器の中から、少なくとも１つの操作対象の機器である対象機器をオペレータに選択させるための機器選択操作フレームを複数の操作用コンピュータの表示装置に表示する操作フレーム表示部と、オペレータにより選択された前記対象機器に対して２アクション方式が割り当てられている場合、オペレータの２回の操作により前記対象機器に命令を実行させる２アクション方式操作フレームを前記複数の操作用コンピュータの前記表示装置に表示し、オペレータにより選択された前記対象機器に対して１アクション方式が割り当てられている場合、オペレータの１回の操作により前記対象機器に命令を実行させる１アクション方式操作フレームを前記複数の操作用コンピュータの前記表示装置に表示する操作フレーム処理部と、前記１アクション方式操作フレームが前記複数の操作用コンピュータの前記表示装置に表示されているときに前記１アクション方式が割り当てられた前記対象機器に対して命令の実行が指示される場合、オペレータの１回の操作により、前記１アクション方式が割り当てられた前記対象機器に対する命令実行指示を出力する１アクション操作部と、前記命令実行指示に応じて前記対象機器に対して命令を実行させる操作指令出力部と、前記１アクション方式が割り当てられた前記対象機器への命令実行に関する１アクション命令実行関連音声をスピーカにより出力する音声告知出力部と、を具備することを特徴とする。
【００２０】
また、実施形態のオペレーション音声告知方法は、複数の機器の中から、少なくとも１つの操作対象の機器である対象機器をオペレータに選択させるための機器選択操作フレームを複数の操作用コンピュータの表示装置に表示するステップと、オペレータにより選択された前記対象機器に対して２アクション方式が割り当てられている場合、オペレータの２回の操作により前記対象機器に命令を実行させる２アクション方式操作フレームを前記複数の操作用コンピュータの前記表示装置に表示するステップと、オペレータにより選択された前記対象機器に対して１アクション方式が割り当てられている場合、オペレータの１回の操作により前記対象機器に命令を実行させる１アクション方式操作フレームを前記複数の操作用コンピュータの前記表示装置に表示するステップと、前記１アクション方式操作フレームが前記複数の操作用コンピュータの前記表示装置に表示されているときに前記１アクション方式が割り当てられた前記対象機器に対して命令の実行が指示される場合、オペレータの１回の操作により、前記１アクション方式が割り当てられた前記対象機器に対する命令実行指示を出力するステップと、前記命令実行指示に応じて前記対象機器に対して命令を実行させるステップと、前記１アクション方式が割り当てられた前記対象機器への命令実行に関する１アクション命令実行関連音声をスピーカにより出力するステップと、を具備することを特徴とする。
【００２１】
また、実施形態のオペレーション音声告知プログラムは、コンピュータが実行可能なコンピュータプログラムであって、複数の機器の中から、少なくとも１つの操作対象の機器である対象機器をオペレータに選択させるための機器選択操作フレームを複数の操作用コンピュータの表示装置に表示するステップと、オペレータにより選択された前記対象機器に対して２アクション方式が割り当てられている場合、オペレータの２回の操作により前記対象機器に命令を実行させる２アクション方式操作フレームを前記複数の操作用コンピュータの前記表示装置に表示するステップと、オペレータにより選択された前記対象機器に対して１アクション方式が割り当てられている場合、オペレータの１回の操作により前記対象機器に命令を実行させる１アクション方式操作フレームを前記複数の操作用コンピュータの前記表示装置に表示するステップと、前記１アクション方式操作フレームが前記複数の操作用コンピュータの前記表示装置に表示されているときに前記１アクション方式が割り当てられた前記対象機器に対して命令の実行が指示される場合、オペレータの１回の操作により、前記１アクション方式が割り当てられた前記対象機器に対する命令実行指示を出力するステップと、前記命令実行指示に応じて前記対象機器に対して命令を実行させるステップと、前記１アクション方式が割り当てられた前記対象機器への命令実行に関する１アクション命令実行関連音声をスピーカにより出力するステップと、の各ステップを前記コンピュータに実行させることを特徴とする。
【発明の効果】
【００２２】
本発明によれば、１アクション方式が割り当てられた対象機器に対して、オペレータが任務を遂行しながら、その対象機器の命令実行を認識し、判断ミスや誤操作に早急に気付くことができる。
【図面の簡単な説明】
【００２３】
【図１】第１実施形態に係るオペレーション音声告知システムのオペレーション音声告知装置の構成を示すブロック図である。
【図２】第１〜第４実施形態に係るオペレーション音声告知システムのオペレーション音声告知装置のデータベースを示す図である。
【図３】第１〜第４実施形態に係るオペレーション音声告知システムの動作（オペレーション音声告知方法）を示すフローチャートである。
【図４】第１〜第４実施形態に係るオペレーション音声告知システムの各操作用コンピュータの表示装置に表示される機器選択操作フレームを示す図である。
【図５】第１〜第４実施形態に係るオペレーション音声告知システムの各操作用コンピュータの表示装置に表示される２アクション方式操作フレームを示す図である。
【図６】第１〜第４実施形態に係るオペレーション音声告知システムの各操作用コンピュータの表示装置に表示される１アクション方式操作フレームを示す図である。
【図７】第１〜第４実施形態に係るオペレーション音声告知システムの動作として２アクション方式操作処理（ステップＳ６）を示すフローチャートである。
【図８】第１〜第４実施形態に係るオペレーション音声告知システムの動作として２アクション方式操作処理（ステップＳ６）に対する割り込み処理を示すフローチャートである。
【図９】第１実施形態に係るオペレーション音声告知システムの動作として１アクション方式操作処理（ステップＳ８）を示すフローチャートである。
【図１０】第１〜第４実施形態に係るオペレーション音声告知システムの動作として１アクション方式操作処理（ステップＳ８）に対する割り込み処理を示すフローチャートである。
【図１１】第２実施形態に係るオペレーション音声告知システムのオペレーション音声告知装置の構成を示すブロック図である。
【図１２】第２実施形態に係るオペレーション音声告知システムの動作として１アクション方式操作処理（ステップＳ８）を示すフローチャートである。
【図１３】第３実施形態に係るオペレーション音声告知システムのオペレーション音声告知装置の構成を示すブロック図である。
【図１４】第３実施形態に係るオペレーション音声告知システムの動作として１アクション方式操作処理（ステップＳ８）を示すフローチャートである。
【図１５】第４実施形態に係るオペレーション音声告知システムのオペレーション音声告知装置の構成を示すブロック図である。
【図１６】第４実施形態に係るオペレーション音声告知システムの動作として１アクション方式操作処理（ステップＳ８）を示すフローチャートである。
【図１７】第１〜第４実施形態に係るオペレーション音声告知システムの構成を示すブロック図である。
【発明を実施するための形態】
【００２４】
以下、本発明に係るオペレーション音声告知システムの実施形態について、図面を参照して説明する。ここで、互いに同一または類似の部分には共通の符号を付して、重複説明は省略する。
【００２５】
［第１実施形態］
図１７は、第１実施形態に係るオペレーション音声告知システムの構成を示すブロック図である。
【００２６】
オペレーション音声告知システムは、複数の操作用コンピュータ１と、オペレーション音声告知用コンピュータ（以下、オペレーション音声告知装置４と称する）と、スピーカ９と、複数の機器１２と、複数のセンサ２６とを具備している。
【００２７】
複数の機器１２はプラントで使用される機器である。複数の機器１２の各々には、その機器１２のパラメータを監視するためのセンサ２６が設けられている。
【００２８】
複数の操作用コンピュータ１の各々は入力装置３と表示装置２とを備えている。入力装置３としては、マウスなどのポインティングデバイスが例示される。
【００２９】
オペレーション音声告知装置４は、ＣＰＵ（Ｃｅｎｔｒａｌ  Ｐｒｏｃｅｓｓｉｎｇ  Ｕｎｉｔ）２９と、バス３０と、記憶装置３１と、入出力ポート３２と、出力ポート３３と、出力ポート３４と、入力ポート３５とを具備している。ＣＰＵ２９と記憶装置３１はバス３０に接続されている。複数の操作用コンピュータ１は入出力ポート３２を介してバス３０に接続されている。スピーカ９は出力ポート３３を介してバス３０に接続されている。複数の機器１２は、図示しないＬＡＮ、出力ポート３４等を介してバス３０に接続されている。複数のセンサ２６は、図示しないＬＡＮ、入力ポート３５等を介してバス３０に接続されている。
【００３０】
記憶装置３１にはコンピュータプログラムが格納され、ＣＰＵ２９は、記憶装置３１からコンピュータプログラムを読み出して、そのコンピュータプログラムを実行する。
【００３１】
図１は、第１実施形態に係るオペレーション音声告知システムのオペレーション音声告知装置４の構成を示すブロック図である。
【００３２】
オペレーション音声告知装置４は、ＣＰＵ２９の機能ブロックとして、操作フレーム表示部５と、操作フレーム処理部６と、２アクション操作部７と、音声告知出力部８と、１アクション操作部１０と、操作指令出力部１１と、動作完了入力部１３と、データベース２３と、を具備している。
【００３３】
図２は、データベース２３を示す図である。データベース２３には、複数の機器１２を識別する識別子（たとえば名称）“ＡＡＡ”、“ＡＡＢ”、“ＡＢＢ”、“ＢＢＢ”…の各々に対して、後述の２アクション方式または１アクション方式が割り当てられている。
【００３４】
たとえば、複数の機器１２のうちの、１オペレータの判断ミスや誤操作により事故が発生する可能性がある機器１２に対しては２アクション方式が割り当てられ、それ以外の機器１２に対しては１アクション方式が割り当てられる。
【００３５】
１アクション方式が割り当てられた機器１２としては、単なる切り替え動作を行う機器が挙げられる。たとえば、ある機器１２が閉状態と開状態との一方の状態から他方の状態に切り替わる機器（電動弁などの機器）であり、１オペレータが誤操作しても事故につながらない機器である場合、その機器１２には１アクション方式が割り当てられる。あるいは、ある機器１２が第１運転モードと第２運転モードとの一方の運転モードから他方の運転モードに切り替わる機器であり、１オペレータが誤操作しても事故につながらない機器である場合、その機器１２には１アクション方式が割り当てられる。
【００３６】
（全体動作）
図３は、第１実施形態に係るオペレーション音声告知システムの動作（オペレーション音声告知方法）を示すフローチャートである。図４は、各操作用コンピュータ１の表示装置２に表示される機器選択操作フレーム２４を示す図である。
【００３７】
操作フレーム表示部５は、図４に示されるような機器選択操作フレーム２４を複数の操作用コンピュータ１の表示装置２に表示する（ステップＳ１；機器選択操作フレーム表示）。機器選択操作フレーム２４は、複数の機器１２“ＡＡＡ”、“ＡＡＢ”、“ＡＢＢ”、“ＢＢＢ”…の中から、少なくとも１つの操作対象の機器である対象機器１２を選択させる画面であり、対象機器１２をオペレータに選択させるためのスイッチを含んでいる。このスイッチは、オペレータが複数の操作用コンピュータ１のうちの１つの操作用コンピュータ１の入力装置３を用いることにより操作される。
【００３８】
機器選択操作フレーム２４が複数の操作用コンピュータ１の表示装置２に表示されているときに、オペレータは、１つの操作用コンピュータ１の入力装置３を用いて、対象機器１２を選択するためのスイッチを操作する。すなわち、オペレータは対象機器１２を選択する（ステップＳ２−ＹＥＳ；機器選択）。このとき、操作フレーム処理部６は、対象機器１２に割り当てられた方式をデータベース２３から読み出す（ステップＳ３；データベース参照）。
【００３９】
オペレータにより選択された対象機器１２に対して２アクション方式が割り当てられている場合（ステップＳ４−ＹＥＳ）、操作フレーム処理部６は、２アクション方式操作フレームを複数の操作用コンピュータ１の表示装置２に表示して（ステップＳ５；２アクション方式操作フレーム表示）、後述の２アクション方式操作処理に移行する（ステップＳ６）。２アクション方式操作フレームは、オペレータが入力装置３を２回操作することにより、２アクション方式が割り当てられた対象機器１２に命令を実行させる画面である。
【００４０】
一方、オペレータにより選択された対象機器１２に対して１アクション方式が割り当てられている場合（ステップＳ４−ＮＯ）、操作フレーム処理部６は、１アクション方式操作フレームを複数の操作用コンピュータ１の表示装置２に表示して（ステップＳ７；１アクション方式操作フレーム表示）、後述の１アクション方式操作処理に移行する（ステップＳ８）。１アクション方式操作フレームは、オペレータが入力装置３を１回操作することにより、１アクション方式が割り当てられた対象機器１２に命令を実行させる画面である。
【００４１】
ここで、対象機器１２が選択されない場合（ステップＳ２−ＮＯ）や、後述の２アクション方式操作処理（ステップＳ６）が終了した場合や、後述の１アクション方式操作処理（ステップＳ８）が終了した場合において、コンピュータ（オペレーション音声告知装置４）が起動している間（ステップＳ９−ＹＥＳ）は、再度、ステップＳ１が実行される。
【００４２】
図５は、各操作用コンピュータ１の表示装置２に表示される２アクション方式操作フレーム１４を示す図である。２アクション方式操作フレーム１４は、２アクション命令スイッチ１６と、実行スイッチ１７と、取消スイッチ１８と、閉じるスイッチ２７とを含んでいる。
【００４３】
図６は、各操作用コンピュータ１の表示装置２に表示される１アクション方式操作フレーム１５を示す図である。１アクション方式操作フレーム１５は、１アクション命令スイッチ１９と、閉じるスイッチ２８とを含んでいる。
【００４４】
第１実施形態に係るオペレーション音声告知システムの動作として、２アクション方式操作処理（ステップＳ６）と、２アクション方式操作処理（ステップＳ６）に対する割り込み処理と、１アクション方式操作処理（ステップＳ８）と、１アクション方式操作処理（ステップＳ８）に対する割り込み処理とについて説明する。
【００４５】
（２アクション方式操作処理）
図７は、第１実施形態に係るオペレーション音声告知システムの動作として２アクション方式操作処理（ステップＳ６）を示すフローチャートである。
【００４６】
２アクション方式操作フレーム１４が複数の操作用コンピュータ１の表示装置２に表示されているときに、オペレータの１回目の操作として、複数の操作用コンピュータ１のうちの１つの操作用コンピュータ１の入力装置３により２アクション命令スイッチ１６が操作される。すなわち、オペレータが１つの操作用コンピュータ１の入力装置３を用いて２アクション命令スイッチ１６を操作する（ステップＳ１１−ＹＥＳ）。この場合、２アクション操作部７は、命令実行の可否について全てのオペレータに確認を求める確認通知を行う。このとき、２アクション操作部７は、確認通知を表す音声として、２アクション方式が割り当てられた対象機器１２に対する命令に誤りがある場合に取り消しを求めるための２アクション命令確認音声を表す信号２５を音声告知出力部８に出力し、音声告知出力部８は、その信号２５が表す２アクション命令確認音声をスピーカ９により出力する（ステップＳ１２；２アクション命令確認音声出力）。
【００４７】
２アクション命令確認音声がスピーカ９から出力されたときに、オペレータの２回目の操作として、複数の操作用コンピュータ１のうちの１つの操作用コンピュータ１の入力装置３により実行スイッチ１７が操作される。すなわち、オペレータが、２アクション方式が割り当てられた対象機器１２に対する命令の実行に問題がないと判断し、１つの操作用コンピュータ１の入力装置３を用いて実行スイッチ１７を操作する（ステップＳ１３−ＹＥＳ）。この場合、２アクション操作部７は、２アクション方式が割り当てられた対象機器１２に対する命令実行指示３６を操作指令出力部１１に出力する。
【００４８】
複数の機器１２の各々には固有のアドレスが割り当てられ、操作指令出力部１１は、複数の機器１２のアドレスを認識している。２アクション操作部７から出力された命令実行指示３６は、２アクション方式が割り当てられた対象機器１２のアドレスを含み、操作指令出力部１１は、命令実行指示３６に含まれるアドレスと一致するアドレスが割り当てられた機器１２（２アクション方式が割り当てられた対象機器１２）を認識する。操作指令出力部１１は、その命令実行指示３６に応じて、２アクション方式が割り当てられた対象機器１２に対して命令を実行させる（ステップＳ１４；２アクション方式命令実行）。
【００４９】
動作完了入力部１３は、２アクション方式操作フレーム１４が複数の操作用コンピュータ１の表示装置２に表示されているときに、２アクション方式が割り当てられた対象機器１２を監視する。センサ２６は、２アクション方式が割り当てられた対象機器１２が動作を完了したときにその旨を表す動作完了情報を出力する。
【００５０】
動作完了入力部１３は、２アクション方式操作フレーム１４が複数の操作用コンピュータ１の表示装置２に表示されているときに動作完了情報を受け取った場合（ステップＳ１５−ＹＥＳ）、操作フレーム終了指示を操作フレーム処理部６に出力する。操作フレーム処理部６は、操作フレーム終了指示に応じて、２アクション方式が割り当てられた対象機器１２が動作を完了した旨を複数の操作用コンピュータ１の表示装置２に表示するとともに、複数の操作用コンピュータ１の表示装置２に表示されている２アクション方式操作フレーム１４を閉じる（ステップＳ１６；２アクション方式動作完了・表示終了）。
【００５１】
２アクション命令確認音声がスピーカ９から出力されたときに、オペレータの２回目の操作として、複数の操作用コンピュータ１のうちの１つの操作用コンピュータ１の入力装置３により取消スイッチ１８が操作される。すなわち、オペレータが、２アクション方式が割り当てられた対象機器１２に対する命令の実行に問題があると判断し、１つの操作用コンピュータ１の入力装置３を用いて取消スイッチ１８を操作する（ステップＳ１３−ＮＯ）。この場合、操作フレーム処理部６は、複数の操作用コンピュータ１の表示装置２に表示されている２アクション方式操作フレーム１４を閉じる（ステップＳ１７；２アクション方式命令取消・表示終了）。
【００５２】
（２アクション方式操作処理に対する割り込み処理）
図８は、第１実施形態に係るオペレーション音声告知システムの動作として２アクション方式操作処理（ステップＳ６）に対する割り込み処理を示すフローチャートである。
【００５３】
２アクション方式操作フレーム１４が複数の操作用コンピュータ１の表示装置２に表示されているときに、複数の操作用コンピュータ１のうちの１つの操作用コンピュータ１の入力装置３により２アクション方式操作フレーム１４の閉じるスイッチ２７が操作される。すなわち、オペレータが１つの操作用コンピュータ１の入力装置３を用いて２アクション方式操作フレーム１４の閉じるスイッチ２７を操作する（ステップＳ２１−ＹＥＳ）。この場合、動作完了入力部１３は、２アクション方式操作処理（ステップＳ６）を終了させるために、操作フレーム終了指示を操作フレーム処理部６に出力する。操作フレーム処理部６は、操作フレーム終了指示に応じて、２アクション方式が割り当てられた対象機器１２が動作を完了（この場合は強制終了）した旨を複数の操作用コンピュータ１の表示装置２に表示するとともに、複数の操作用コンピュータ１の表示装置２に表示されている２アクション方式操作フレーム１４を閉じる（ステップＳ２２；２アクション方式表示終了）。
【００５４】
以上により、２アクション方式操作処理（ステップＳ６）では、２アクション方式操作フレーム１４が複数の操作用コンピュータ１の表示装置２に表示されているときに、オペレータが１つの操作用コンピュータ１の入力装置３を用いて２アクション方式が割り当てられた対象機器１２に対する命令の実行を指示する場合、２アクション操作部７は、オペレータの１回目の操作により、命令実行の可否について全てのオペレータに確認を求める確認通知を行う。このときに、音声告知出力部８は、確認通知を表す音声（２アクション命令確認音声）をスピーカ９により出力する。オペレータが、２アクション方式が割り当てられた対象機器１２に対する命令の実行に問題がないと判断し、命令の実行を指示した場合、２アクション操作部７は、確認通知の後のオペレータの２回目の操作により、２アクション方式が割り当てられた対象機器１２に対する命令実行指示３６を操作指令出力部１１に出力する。その結果、操作指令出力部１１は、命令実行指示３６に応じて、２アクション方式が割り当てられた対象機器１２に対して命令を実行させる。一方、オペレータが、２アクション方式が割り当てられた対象機器１２に対する命令の実行に問題があると判断し、命令の実行の取り消しを指示した場合、２アクション操作部７は、確認通知の後のオペレータの２回目の操作により、２アクション方式が割り当てられた対象機器１２に対する命令実行指示３６を出力しない。その結果、２アクション方式が割り当てられた対象機器１２に対して命令が実行されない。
【００５５】
このように、２アクション方式操作処理（ステップＳ６）では、２アクション方式が割り当てられた対象機器１２に対して命令の実行を指示する場合、確認通知を表す音声（２アクション命令確認音声）がスピーカ９から出力され、全てのオペレータに通知（告知）される。その結果、全てのオペレータが問題ないと判断した場合、２アクション方式が割り当てられた対象機器１２に対する命令が実行される。その後も全てのオペレータが問題ないと判断している場合、２アクション方式が割り当てられた対象機器１２の動作が完了する。
【００５６】
（１アクション方式操作処理）
図９は、第１実施形態に係るオペレーション音声告知システムの動作として１アクション方式操作処理（ステップＳ８）を示すフローチャートである。
【００５７】
１アクション方式操作フレーム１５が複数の操作用コンピュータ１の表示装置２に表示されているときに、複数の操作用コンピュータ１のうちの１つの操作用コンピュータ１の入力装置３により１アクション命令スイッチ１９が操作される。すなわち、オペレータが１つの操作用コンピュータ１の入力装置３を用いて１アクション命令スイッチ１９を操作する（ステップＳ３１−ＹＥＳ）。この場合、１アクション操作部１０は、１アクション方式が割り当てられた対象機器１２に対する命令実行指示３７を操作指令出力部１１に出力する。
【００５８】
１アクション操作部１０から出力された命令実行指示３７は、１アクション方式が割り当てられた対象機器１２のアドレスを含み、操作指令出力部１１は、命令実行指示３７に含まれるアドレスと一致するアドレスが割り当てられた機器１２（１アクション方式が割り当てられた対象機器１２）を認識する。操作指令出力部１１は、その命令実行指示３７に応じて、１アクション方式が割り当てられた対象機器１２に対して命令を実行させる（ステップＳ３２；１アクション方式命令実行）。
【００５９】
同時に、１アクション操作部１０は、１アクション方式が割り当てられた対象機器１２に対して命令が実行されることを通知するための１アクション命令実行開始音声を表す信号３８を音声告知出力部８に出力する。音声告知出力部８は、その信号３８が表す１アクション命令実行開始音声をスピーカ９により出力する（ステップＳ３３；１アクション命令実行開始音声出力）。
【００６０】
動作完了入力部１３は、１アクション方式操作フレーム１５が複数の操作用コンピュータ１の表示装置２に表示されているときに、１アクション方式が割り当てられた対象機器１２を監視する。この場合、センサ２６は、１アクション方式が割り当てられた対象機器１２が動作を完了したときにその旨を表す動作完了情報を出力する。
【００６１】
たとえば、１アクション方式が割り当てられた対象機器１２が閉状態と開状態との一方の状態から他方の状態に切り替わる機器（電動弁などの機器）であり、その対象機器１２のパラメータが電動弁の開度である場合、センサ２６としては、電動弁の開閉を監視する開度センサが挙げられる。この場合、センサ２６は、たとえば、その対象機器１２が閉状態から１００％開いた状態になったときに動作完了信号を出力する。
【００６２】
あるいは、１アクション方式が割り当てられた対象機器１２が第１運転モードと第２運転モードとの一方の運転モードから他方の運転モードに切り替わる機器である場合、センサ２６は、その対象機器１２の運転モードが一方の運転モードから他方の運転モードに切り替わったときに動作完了信号を出力する。
【００６３】
動作完了入力部１３は、１アクション方式操作フレーム１５が複数の操作用コンピュータ１の表示装置２に表示されているときに動作完了情報を受け取った場合（ステップＳ３４−ＹＥＳ）、操作フレーム終了指示を操作フレーム処理部６に出力する。操作フレーム処理部６は、操作フレーム終了指示に応じて、１アクション方式が割り当てられた対象機器１２が動作を完了した旨を複数の操作用コンピュータ１の表示装置２に表示するとともに、複数の操作用コンピュータ１の表示装置２に表示されている１アクション方式操作フレーム１５を閉じる（ステップＳ３５；１アクション方式動作完了・表示終了）。
【００６４】
（１アクション方式操作処理に対する割り込み処理）
図１０は、第１実施形態に係るオペレーション音声告知システムの動作として１アクション方式操作処理（ステップＳ８）に対する割り込み処理を示すフローチャートである。
【００６５】
１アクション方式操作フレーム１５が複数の操作用コンピュータ１の表示装置２に表示されているときに、複数の操作用コンピュータ１のうちの１つの操作用コンピュータ１の入力装置３により１アクション方式操作フレーム１５の閉じるスイッチ２８が操作される。すなわち、オペレータが１つの操作用コンピュータ１の入力装置３を用いて１アクション方式操作フレーム１５の閉じるスイッチ２８を操作する（ステップＳ４１−ＹＥＳ）。この場合、動作完了入力部１３は、１アクション方式操作処理（ステップＳ８）を終了させるために、操作フレーム終了指示を操作フレーム処理部６に出力する。操作フレーム処理部６は、操作フレーム終了指示に応じて、１アクション方式が割り当てられた対象機器１２が動作を完了（この場合は強制終了）した旨を複数の操作用コンピュータ１の表示装置２に表示するとともに、操作フレーム処理部６は、複数の操作用コンピュータ１の表示装置２に表示されている１アクション方式操作フレーム１５を閉じる（ステップＳ４２；１アクション方式表示終了）。
【００６６】
以上により、１アクション方式操作処理（ステップＳ８）では、１アクション方式操作フレーム１５が複数の操作用コンピュータ１の表示装置２に表示されているときに、オペレータが１つの操作用コンピュータ１の入力装置３を用いて１アクション方式が割り当てられた対象機器１２に対する命令の実行を指示する場合、１アクション操作部１０は、オペレータの１回の操作により、１アクション方式が割り当てられた対象機器１２に対する命令実行指示３７を操作指令出力部１１に出力するとともに、１アクション方式が割り当てられた対象機器１２への命令実行に関する１アクション命令実行関連音声として、上述の１アクション命令実行開始音声を表す信号３８を音声告知出力部８に出力する。その結果、操作指令出力部１１は、命令実行指示３７に応じて、１アクション方式が割り当てられた対象機器１２に対して命令を実行させる。同時に、音声告知出力部８は、上述の信号３８が表す１アクション命令実行開始音声をスピーカ９により出力する。
【００６７】
このように、第１実施形態に係るオペレーション音声告知システムによれば、１アクション方式操作処理（ステップＳ８）において、１アクション方式が割り当てられた対象機器１２に対して命令の実行を指示する場合、１アクション方式が割り当てられた対象機器１２に対する命令が実行されるとともに、１アクション命令実行関連音声（１アクション命令実行開始音声）がスピーカ９から出力され、全てのオペレータに通知（告知）される。その結果、全てのオペレータは、１アクション命令実行開始音声を聞くことにより、１アクション方式が割り当てられた対象機器１２に対して命令が実行され、その対象機器１２が動作することを、任務を遂行しながら認識することができる。
【００６８】
第１実施形態に係るオペレーション音声告知システムによれば、１アクション方式操作処理（ステップＳ８）において、１アクション方式が割り当てられた対象機器１２に対して命令の実行を指示する場合、１アクション命令実行開始音声が全てのオペレータに通知（告知）される。このため、１アクション方式が割り当てられた対象機器１２が１オペレータの判断ミスや誤操作によって動作した場合でも、全てのオペレータのうちの１オペレータ以外のオペレータは、１オペレータの判断ミスや誤操作に早急に気付くことができる。その結果、１オペレータ以外のオペレータは、１オペレータの判断ミスや誤操作による対象機器１２の動作を終了させることができる。
【００６９】
したがって、第１実施形態に係るオペレーション音声告知システムによれば、１アクション方式が割り当てられた対象機器１２に対して、オペレータが任務を遂行しながら、その対象機器１２の命令実行を認識し、判断ミスや誤操作に早急に気付くことができる。
【００７０】
［第２実施形態］
１アクション方式が割り当てられた対象機器１２は、インチング操作により命令実行指示３７を複数回与えて動作を完了する機器であることもある。たとえば、対象機器１２が電動弁である場合、インチング操作により命令実行指示３７を複数回与えて閉状態と開状態との一方の状態（たとえば閉状態）から他方の状態（１００％開く状態）に切り替わることにより動作を完了する。
【００７１】
この場合、第１実施形態に係るオペレーション音声告知システムでは、１アクション方式が割り当てられた対象機器１２に対して命令の実行を指示したときに、１アクション方式が割り当てられた対象機器１２に対する命令が実行されるとともに、１アクション命令実行開始音声がスピーカ９から出力される。しかし、１アクション方式が割り当てられた対象機器１２に対して命令の実行を指示する度に１アクション命令実行開始音声がスピーカ９から出力されることは、任務を遂行中のオペレータにとっては煩わしいことである。また、オペレータの注意力の妨げになる可能性がある。
【００７２】
そこで、第２実施形態に係るオペレーション音声告知システムでは、１アクション方式が割り当てられた対象機器１２に対して命令の実行を指示する場合、予め設定された設定時間が経過したときだけ、１アクション命令実行開始音声をスピーカ９により出力する。第２実施形態について、第１実施形態の変更点のみ説明する。
【００７３】
図１１は、第２実施形態に係るオペレーション音声告知システムのオペレーション音声告知装置４の構成を示すブロック図である。
【００７４】
オペレーション音声告知装置４は、ＣＰＵ２９の機能ブロックとして、さらに、タイマカウント処理部２２を具備している。
【００７５】
ここで、２アクション方式操作処理（図７参照）、２アクション方式操作処理に対する割り込み処理（図８参照）、および、１アクション方式操作処理に対する割り込み処理（図１０参照）については、第１実施形態と同じであるため、その説明を省略する。
【００７６】
（１アクション方式操作処理）
図１２は、第２実施形態に係るオペレーション音声告知システムの動作として１アクション方式操作処理（ステップＳ８）を示すフローチャートである。
【００７７】
１アクション方式操作フレーム１５が複数の操作用コンピュータ１の表示装置２に表示されている場合、１アクション操作部１０は、オペレータが１つの操作用コンピュータ１の入力装置３を用いて１アクション命令スイッチ１９を操作する度に、１アクション方式が割り当てられた対象機器１２に対する命令実行指示３７を操作指令出力部１１に出力するとともに、１アクション命令実行開始音声を表す信号３８をタイマカウント処理部２２に出力する。
【００７８】
まず、オペレータが１つの操作用コンピュータ１の入力装置３を用いて１アクション命令スイッチ１９を操作したときに（ステップＳ３１−ＹＥＳ）、１アクション操作部１０は、１アクション方式が割り当てられた対象機器１２に対する命令実行指示３７を操作指令出力部１１に出力し、操作指令出力部１１は、命令実行指示３７に応じて１アクション方式が割り当てられた対象機器１２に対して命令を実行させる（ステップＳ３２；１アクション方式命令実行）。同時に、１アクション操作部１０は、１アクション命令実行関連音声として、前述の１アクション命令実行開始音声を表す信号３８をタイマカウント処理部２２に出力する。このとき、タイマカウント処理部２２は、最初の信号３８を受け取る（ステップＳ５１−ＹＥＳ）。この場合、タイマカウント処理部２２は、信号３８を音声告知出力部８に出力し、音声告知出力部８は、信号３８が表す１アクション命令実行開始音声をスピーカ９により出力する（ステップＳ３３；１アクション命令実行開始音声出力）。同時に、タイマカウント処理部２２は、カウントを開始する（ステップＳ５３）。
【００７９】
次に、インチング操作として、オペレータが１つの操作用コンピュータ１の入力装置３を用いて１アクション命令スイッチ１９を再度操作したときに（ステップＳ３４−ＮＯ、Ｓ３１−ＹＥＳ）、１アクション操作部１０は、１アクション方式が割り当てられた対象機器１２に対する命令実行指示３７を操作指令出力部１１に出力し、操作指令出力部１１は、命令実行指示３７に応じて１アクション方式が割り当てられた対象機器１２に対して命令を実行させる（ステップＳ３２；１アクション方式命令実行）。同時に、１アクション操作部１０は、１アクション命令実行関連音声として、前述の１アクション命令実行開始音声を表す信号３８を音声告知出力部８に出力する。このとき、タイマカウント処理部２２は、２回目の信号３８を受け取る（ステップＳ５１−ＮＯ）。ここで、タイマカウント処理部２２は、信号３８を再度受け取ったときにカウントの時間が設定時間を経過していない場合（ステップＳ５２−ＮＯ）、カウントの時間をリセットして、カウントを開始する（ステップＳ５３）。一方、タイマカウント処理部２２は、信号３８を再度受け取ったときにカウントの時間が設定時間を経過している場合（ステップＳ５２−ＹＥＳ）、前述の信号３８を音声告知出力部８に出力し、音声告知出力部８は、信号３８が表す１アクション命令実行開始音声をスピーカ９により出力する（ステップＳ３３；１アクション命令実行開始音声出力）。同時に、タイマカウント処理部２２は、カウントの時間をリセットして、カウントを開始する（ステップＳ５３）。
【００８０】
インチング操作が繰り返されて、動作完了入力部１３は、１アクション方式操作フレーム１５が複数の操作用コンピュータ１の表示装置２に表示されているときに動作完了情報を受け取った場合（ステップＳ３４−ＹＥＳ）、操作フレーム終了指示を操作フレーム処理部６に出力する。操作フレーム処理部６は、操作フレーム終了指示に応じて、１アクション方式が割り当てられた対象機器１２が動作を完了した旨を複数の操作用コンピュータ１の表示装置２に表示するとともに、複数の操作用コンピュータ１の表示装置２に表示されている１アクション方式操作フレーム１５を閉じる（ステップＳ３５；１アクション方式動作完了・表示終了）。
【００８１】
このように、第２実施形態に係るオペレーション音声告知システムによれば、１アクション方式操作処理（ステップＳ８）において、１アクション方式が割り当てられた対象機器１２に対して命令の実行を最初に指示する場合、１アクション方式が割り当てられた対象機器１２に対する命令が実行されるとともに、１アクション命令実行関連音声として前述の１アクション命令実行開始音声がスピーカ９から出力され、全てのオペレータに通知（告知）される。そこで、１アクション方式が割り当てられた対象機器１２に対して命令の実行を再度指示する場合、予め設定された設定時間が経過したときだけ、１アクション命令実行開始音声がスピーカ９から出力される。
【００８２】
したがって、第２実施形態に係るオペレーション音声告知システムによれば、第１実施形態の効果に加えて、オペレータの注意力の低下を防止することができる。
【００８３】
［第３実施形態］
第３実施形態に係るオペレーション音声告知システムのオペレーション音声告知装置４は、１アクション方式が割り当てられた対象機器１２に対して、１アクション方式操作フレーム１５が複数の操作用コンピュータ１の表示装置２に表示されたときに、１アクション命令実行関連音声をスピーカ９により出力する。第３実施形態について、第１実施形態の変更点のみ説明する。
【００８４】
図１３は、第３実施形態に係るオペレーション音声告知システムのオペレーション音声告知装置４の構成を示すブロック図である。
【００８５】
ここで、２アクション方式操作処理（図７参照）、２アクション方式操作処理に対する割り込み処理（図８参照）、および、１アクション方式操作処理に対する割り込み処理（図１０参照）については、第１実施形態と同じであるため、その説明を省略する。
【００８６】
（１アクション方式操作処理）
図１４は、第３実施形態に係るオペレーション音声告知システムの動作として１アクション方式操作処理（ステップＳ８）を示すフローチャートである。
【００８７】
１アクション方式操作フレーム１５が複数の操作用コンピュータ１の表示装置２に表示されたときに、操作フレーム処理部６は、１アクション命令実行関連音声として、１アクション方式が割り当てられた対象機器１２を動作させるために１アクション方式操作フレーム１５が表示装置２に表示されたことを通知するための１アクション方式操作フレーム表示確認音声を表す信号３９を音声告知出力部８に出力する。音声告知出力部８は、信号３９が表す１アクション方式操作フレーム表示確認音声をスピーカ９により出力する（ステップＳ６１；１アクション方式操作フレーム表示確認音声出力）。
【００８８】
１アクション方式操作フレーム表示確認音声がスピーカ９から出力されたときに、複数の操作用コンピュータ１のうちの１つの操作用コンピュータ１の入力装置３により１アクション命令スイッチ１９が操作される。すなわち、オペレータが、１アクション方式が割り当てられた対象機器１２に対する命令の実行に問題がないと判断し、１つの操作用コンピュータ１の入力装置３を用いて１アクション命令スイッチ１９を操作する（ステップＳ６２−ＹＥＳ）。この場合、１アクション操作部１０は、１アクション方式が割り当てられた対象機器１２に対する命令実行指示３７を操作指令出力部１１に出力し、操作指令出力部１１は、命令実行指示３７に応じて１アクション方式が割り当てられた対象機器１２に対して命令を実行させる（ステップＳ３２；１アクション方式命令実行）。
【００８９】
１アクション方式が割り当てられた対象機器１２が閉状態と開状態との一方の状態から他方の状態に切り替わる機器（電動弁などの機器）である場合、センサ２６は、たとえば、その対象機器１２が閉状態から１００％開いた状態になったときに動作完了信号を出力する。あるいは、１アクション方式が割り当てられた対象機器１２が第１運転モードと第２運転モードとの一方の運転モードから他方の運転モードに切り替わる機器である場合、センサ２６は、その対象機器１２の運転モードが一方の運転モードから他方の運転モードに切り替わったときに動作完了信号を出力する。
【００９０】
動作完了入力部１３は、１アクション方式操作フレーム１５が複数の操作用コンピュータ１の表示装置２に表示されているときに動作完了情報を受け取った場合（ステップＳ３４−ＹＥＳ）、操作フレーム終了指示を操作フレーム処理部６に出力する。操作フレーム処理部６は、操作フレーム終了指示に応じて、１アクション方式が割り当てられた対象機器１２が動作を完了した旨を複数の操作用コンピュータ１の表示装置２に表示するとともに、複数の操作用コンピュータ１の表示装置２に表示されている１アクション方式操作フレーム１５を閉じる（ステップＳ３５；１アクション方式動作完了・表示終了）。
【００９１】
一方、１アクション方式操作フレーム表示確認音声がスピーカ９から出力されたときに、複数の操作用コンピュータ１のうちの１つの操作用コンピュータ１の入力装置３により閉じるスイッチ２７が操作される。すなわち、オペレータが、１アクション方式が割り当てられた対象機器１２に対する命令の実行に問題があると判断し、１つの操作用コンピュータ１の入力装置３を用いて閉じるスイッチ２７を操作する（ステップＳ６２−ＮＯ）。この場合、操作フレーム処理部６は、複数の操作用コンピュータ１の表示装置２に表示されている１アクション方式操作フレーム１５を閉じる（ステップＳ６３；１アクション方式表示終了）。
【００９２】
このように、第３実施形態に係るオペレーション音声告知システムによれば、１アクション方式操作処理（ステップＳ８）において、１アクション方式操作フレーム１５が複数の操作用コンピュータ１の表示装置２に表示されたときに、１アクション命令実行関連音声として上述の１アクション方式操作フレーム表示確認音声がスピーカ９から出力され、全てのオペレータに通知（告知）される。その結果、全てのオペレータは、１アクション方式操作フレーム表示確認音声を聞くことにより、１アクション方式が割り当てられた対象機器１２に対して命令がこれから実行されることを、任務を遂行しながら認識することができる。
【００９３】
第３実施形態に係るオペレーション音声告知システムによれば、１アクション方式操作処理（ステップＳ８）において、１アクション方式操作フレーム１５が複数の操作用コンピュータ１の表示装置２に表示されたときに、１アクション方式操作フレーム表示確認音声が全てのオペレータに通知（告知）される。このため、１オペレータの判断ミスや誤操作によって１アクション方式操作フレーム１５が複数の操作用コンピュータ１の表示装置２に表示されたときに、全てのオペレータのうちの１オペレータ以外のオペレータは、１オペレータの判断ミスや誤操作に早急に気付くことができる。その結果、１オペレータ以外のオペレータは、１アクション方式が割り当てられた対象機器１２が１オペレータの判断ミスや誤操作によって動作される事態を未然に防ぐことができる。
【００９４】
したがって、第３実施形態に係るオペレーション音声告知システムによれば、１アクション方式が割り当てられた対象機器１２に対して、オペレータが任務を遂行しながら、その対象機器１２の命令実行を認識し、判断ミスや誤操作に早急に気付くことができる。
【００９５】
［第４実施形態］
第４実施形態に係るオペレーション音声告知システムのオペレーション音声告知装置４は、１アクション方式が割り当てられた対象機器１２に対する命令が実行されたときに、１アクション命令実行関連音声をスピーカ９により出力する。第４実施形態について、第１実施形態の変更点のみ説明する。
【００９６】
図１５は、第４実施形態に係るオペレーション音声告知システムのオペレーション音声告知装置４の構成を示すブロック図である。
【００９７】
オペレーション音声告知装置４は、動作完了入力部１３に代えて、２アクション方式動作完了入力部２０と、１アクション方式動作完了入力部２１とを具備している。
【００９８】
２アクション方式動作完了入力部２０は、第１実施形態の動作完了入力部１３が２アクション方式操作処理（ステップＳ６）および２アクション方式操作処理（ステップＳ６）に対する割り込み処理を実行するときの動作と同じ動作を行う。このため、２アクション方式操作処理（図７参照）、２アクション方式操作処理に対する割り込み処理（図８参照）については、動作完了入力部１３を２アクション方式動作完了入力部２０に置き換えれば、第１実施形態と同じであるため、その説明を省略する。
【００９９】
また、１アクション方式動作完了入力部２１は、第１実施形態の動作完了入力部１３が１アクション方式操作処理（ステップＳ８）に対する割り込み処理を実行するときの動作と同じ動作を行う。このため、１アクション方式操作処理に対する割り込み処理（図１０参照）については、動作完了入力部１３を１アクション方式動作完了入力部２１に置き換えれば、第１実施形態と同じであるため、その説明を省略する。
【０１００】
（１アクション方式操作処理）
図１６は、第４実施形態に係るオペレーション音声告知システムの動作として１アクション方式操作処理（ステップＳ８）を示すフローチャートである。
【０１０１】
１アクション方式操作フレーム１５が複数の操作用コンピュータ１の表示装置２に表示されているときに、複数の操作用コンピュータ１のうちの１つの操作用コンピュータ１の入力装置３により１アクション命令スイッチ１９が操作される。すなわち、オペレータが１つの操作用コンピュータ１の入力装置３を用いて１アクション命令スイッチ１９を操作する（ステップＳ３１−ＹＥＳ）。この場合、１アクション操作部１０は、１アクション方式が割り当てられた対象機器１２に対する命令実行指示３７を操作指令出力部１１に出力し、操作指令出力部１１は、命令実行指示３７に応じて１アクション方式が割り当てられた対象機器１２に対して命令を実行させる（ステップＳ３２；１アクション方式命令実行）。
【０１０２】
１アクション方式動作完了入力部２１は、１アクション方式操作フレーム１５が複数の操作用コンピュータ１の表示装置２に表示されているときに、１アクション方式が割り当てられた対象機器１２を監視する。
【０１０３】
１アクション方式が割り当てられた対象機器１２が閉状態と開状態との一方の状態から他方の状態に切り替わる機器（電動弁などの機器）である場合、センサ２６は、たとえば、その対象機器１２が閉状態から１００％開いた状態になったときに動作完了信号を出力する。あるいは、１アクション方式が割り当てられた対象機器１２が第１運転モードと第２運転モードとの一方の運転モードから他方の運転モードに切り替わる機器である場合、センサ２６は、その対象機器１２の運転モードが一方の運転モードから他方の運転モードに切り替わったときに動作完了信号を出力する。
【０１０４】
１アクション方式動作完了入力部２１は、１アクション方式操作フレーム１５が複数の操作用コンピュータ１の表示装置２に表示されているときに動作完了情報を受け取った場合（ステップＳ３４−ＹＥＳ）、１アクション方式操作フレーム終了指示を操作フレーム処理部６に出力するとともに、１アクション命令実行関連音声として、１アクション方式が割り当てられた対象機器１２に対して命令が実行されたことを通知するための１アクション命令実行完了音声を表す信号４０を音声告知出力部８に出力する。操作フレーム処理部６は、１アクション方式操作フレーム終了指示に応じて、１アクション方式が割り当てられた対象機器１２が動作を完了した旨を複数の操作用コンピュータ１の表示装置２に表示するとともに、複数の操作用コンピュータ１の表示装置２に表示されている１アクション方式操作フレーム１５を閉じる（ステップＳ３５；１アクション方式動作完了・表示終了）。同時に、音声告知出力部８は、信号４０が表す１アクション命令実行完了音声をスピーカ９により出力する（ステップＳ７１；１アクション命令実行完了音声出力）。
【０１０５】
このように、第４実施形態に係るオペレーション音声告知システムによれば、１アクション方式操作処理（ステップＳ８）において、１アクション方式が割り当てられた対象機器１２に対して命令の実行を指示した場合、１アクション方式が割り当てられた対象機器１２に対する命令が実行される。１アクション方式が割り当てられた対象機器１２に対する命令が実行されたときに、１アクション命令実行関連音声として上述の１アクション命令実行完了音声がスピーカ９から出力され、全てのオペレータに通知（告知）される。その結果、全てのオペレータは、１アクション命令実行完了音声を聞くことにより、１アクション方式が割り当てられた対象機器１２に対して命令が実行され、その対象機器１２が動作したことを、任務を遂行しながら認識することができる。
【０１０６】
第４実施形態に係るオペレーション音声告知システムによれば、１アクション方式操作処理（ステップＳ８）において、１アクション方式が割り当てられた対象機器１２に対して命令の実行を指示した場合、１アクション命令実行完了音声が全てのオペレータに通知（告知）される。このため、１アクション方式が割り当てられた対象機器１２が１オペレータの判断ミスや誤操作によって動作した場合でも、全てのオペレータのうちの１オペレータ以外のオペレータは、１オペレータの判断ミスや誤操作に早急に気付くことができる。その結果、１オペレータ以外のオペレータは、１オペレータの判断ミスや誤操作による対象機器１２の動作を早急に修正することができる。
【０１０７】
したがって、第４実施形態に係るオペレーション音声告知システムによれば、１アクション方式が割り当てられた対象機器１２に対して、オペレータが任務を遂行しながら、その対象機器１２の命令実行を認識し、判断ミスや誤操作に早急に気付くことができる。
【０１０８】
［他の実施形態］
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、また各実施形態の特徴を組み合わせることができる。
【０１０９】
第１〜第４実施形態において、入力装置３はマウスなどのポインティングデバイスであり、オペレータが入力装置３を用いて各種フレームのスイッチを操作しているが、これに限定されない。たとえば、入力装置３はキー入力が可能なキーボードでもよい。
【０１１０】
また、第１〜第４実施形態において、入力装置３は、押しボタン式スイッチやトグルスイッチなどのハードスイッチでもよい。さらに、そのハードスイッチは各種フレームのスイッチと連動する構成でもよい。
【０１１１】
また、第１〜第４実施形態において、表示装置２はタッチパネルであり、各種フレームが表示装置２に表示されているときに、オペレータが指で表示装置２上の各種フレームのスイッチを操作する構成でもよい。この場合、入力装置３は不要になる。
【０１１２】
これら実施形態やその変形は、発明の範囲や要旨に含まれるとともに、特許請求の範囲に記載された発明とその均等の範囲に含まれる。
【符号の説明】
【０１１３】
１  …  操作装置
２  …  表示装置
３  …  入力装置
４  …  オペレーション音声告知装置
５  …  操作フレーム表示部
６  …  操作フレーム処理部
７  …  ２アクション操作部
８  …  音声告知出力部
９  …  スピーカ
１０  …  １アクション操作部
１１  …  操作指令出力部
１２  …  機器
１３  …  動作完了入力部
１４  …  ２アクション方式操作フレーム
１５  …  １アクション方式操作フレーム
１６  …  ２アクション命令スイッチ
１７  …  実行スイッチ
１８  …  取消スイッチ
１９  …  １アクション命令スイッチ
２０  …  ２アクション方式動作完了入力部
２１  …  １アクション方式動作完了入力部
２２  …  タイマカウント処理部
２３  …  データベース
２４  …  機器選択操作フレーム
２５  …  ２アクション命令確認音声を表す信号
２６  …  センサ
２７  …  閉じるスイッチ
２８  …  閉じるスイッチ
２９  …  ＣＰＵ
３０  …  バス
３１  …  記憶装置
３２  …  入出力ポート
３３  …  出力ポート
３４  …  出力ポート
３５  …  入力ポート
３６  …  命令実行指示
３７  …  命令実行指示
３８  …  １アクション命令実行開始音声を表す信号
３９  …  １アクション方式操作フレーム表示確認音声を表す信号
４０  …  １アクション命令実行完了音声を表す信号
【図１】
2013140478.tif 000003
【図２】
2013140478.tif 000004
【図３】
2013140478.tif 000005
【図４】
2013140478.tif 000006
【図５】
2013140478.tif 000007
【図６】
2013140478.tif 000008
【図７】
2013140478.tif 000009
【図８】
2013140478.tif 000010
【図９】
2013140478.tif 000011
【図１０】
2013140478.tif 000012
【図１１】
2013140478.tif 000013
【図１２】
2013140478.tif 000014
【図１３】
2013140478.tif 000015
【図１４】
2013140478.tif 000016
【図１５】
2013140478.tif 000017
【図１６】
2013140478.tif 000018
【図１７】
2013140478.tif 000019